(57)【要約】【課題】医師がレジメンを正確に把握していなくても、投与スケジュールを立案することが可能な化学療法支援装置及び化学療法支援プログラムを提供する。【解決手段】化学療法支援装置１は、レジメン情報と、重複情報とを含むレジメンマスタ情報が記憶手段に格納されている。レジメン情報は、患者に投与される抗癌剤の種類、標準投与量及び投与スケジュールを含むレジメンを示す情報である。また、重複情報は、レジメン情報にて用いられる抗癌剤とは異なる他の抗癌剤との組み合わせを許容するか否かを示す情報である。化学療法支援装置１では、オーダ処理手段が、レジメン情報に基づいてレジメンオーダが作成されるときに、レジメン情報が規定する投与スケジュールの期間で、他の抗癌剤との組み合わせが発生すると、重複情報に基づいて重複を許容するか否かを判定する。そのため、医師の記憶や経験に頼ることなく、正確に判断することができる。【選択図】図１
2019036065.tif 000002
【特許請求の範囲】
【請求項１】
患者に投与される抗癌剤の種類、標準投与量及び投与スケジュールを含むレジメンを示すレジメン情報、及び前記レジメン情報にて用いられる抗癌剤とは異なる他の抗癌剤との組み合わせを許容するか否かを示す重複情報を含むレジメンマスタ情報が格納された記憶手段と、
前記レジメン情報に基づいてレジメンオーダが作成されるときに、前記レジメン情報が規定する投与スケジュールの期間で、他の抗癌剤との組み合わせが発生すると、前記重複情報に基づいて重複を許容するか否かを判定するオーダ処理手段とを備えた化学療法支援装置。
【請求項２】
前記重複情報は、全部の他のレジメンとの重複を許容するか否か、又は選択的にレジメンとの重複を許容することを示す重複可否情報と、前記重複可否情報が選択的にレジメンとの重複を許容することを示す場合に、重複が許容されるレジメンを示す重複レジメン情報とを備えたものである請求項１記載の化学療法支援装置。
【請求項３】
コンピュータを、
患者に投与される抗癌剤の種類、標準投与量及び投与スケジュールを含むレジメンを示すレジメン情報、及び前記レジメン情報にて用いられる抗癌剤とは異なる他の抗癌剤との組み合わせを許容するか否かを示す重複情報を含むレジメンマスタ情報が格納された記憶手段、
前記レジメン情報に基づいてレジメンオーダが作成されるときに、前記レジメン情報が規定する投与スケジュールの期間で、他の抗癌剤との組み合わせが発生すると、前記重複情報に基づいて重複を許容するか否かを判定するオーダ処理手段として機能させる化学療法支援プログラム。
【発明の詳細な説明】
【技術分野】
【０００１】
本発明は、抗癌剤を用いて癌治療を行う医師を支援する化学療法支援装置及び化学療法支援プログラムに関するものである。
【背景技術】
【０００２】
癌治療は、抗癌剤を用いて行う化学療法が知られている。抗癌剤だけでなく薬剤は、投薬量を誤ると、直接的に身体へ影響を及ぼす。特に、抗癌剤は、身体へ過激に作用するため、投薬量は重要である。このような投薬量について、チェックする技術が知られている（例えば、特許文献１参照。）。
【０００３】
特許文献１に記載の「薬剤投与量チェック装置及び薬剤投与量チェック方法」は、薬剤を投与する者の体重の投与予定データが入力部を通じて入力されると、制御部では、薬剤及びその薬剤投与量と、投与予定データと、データベースから呼び出した過去実績データとに基づいて、投与しようとしている薬剤の薬剤投与量がデータベースで記録された薬剤投与量の許容範囲以外であるか否かを判定し、薬剤投与量がデータベースに記録された薬剤投与量の許容範囲以外であると判定された時に、報知部により、「不適正」である旨の報知がされる、というものである。
【先行技術文献】
【特許文献】
【０００４】
【特許文献１】特開２０１６−１８１１３４号公報
【発明の概要】
【発明が解決しようとする課題】
【０００５】
特許文献１に記載の薬剤投与量チェック装置では、投与量はチェックされるが、他の薬剤との併用については考慮されていない。
一方、化学療法においては、患者に投与される薬剤の種類、標準用量、投与スケジュールがレジメンマスタによって定められている。そして、このレジメンマスタを基本に患者に適した内容に変更して、レジメンオーダして治療にあたる。
しかし、医師がレジメンの内容全部を把握して、患者に対する投与スケジュールを組み立てるのは困難である。
【０００６】
そこで本発明は、医師がレジメンを正確に把握していなくても、投与スケジュールを立案することが可能な化学療法支援装置及び化学療法支援プログラムを提供することを目的とする。
【課題を解決するための手段】
【０００７】
本発明の化学療法支援装置は、患者に投与される抗癌剤の種類、標準投与量及び投与スケジュールを含むレジメンを示すレジメン情報、及び前記レジメン情報にて用いられる抗癌剤とは異なる他の抗癌剤との組み合わせを許容するか否かを示す重複情報を含むレジメンマスタ情報が格納された記憶手段と、前記レジメン情報に基づいてレジメンオーダが作成されるときに、前記レジメン情報が規定する投与スケジュールの期間で、他の抗癌剤との組み合わせが発生すると、前記重複情報に基づいて重複を許容するか否かを判定するオーダ処理手段とを備えたことを特徴とする。
【０００８】
また、本発明の化学療法支援プログラムは、コンピュータを、患者に投与される抗癌剤の種類、標準投与量及び投与スケジュールを含むレジメンを示すレジメン情報、及び前記レジメン情報にて用いられる抗癌剤とは異なる他の抗癌剤との組み合わせを許容するか否かを示す重複情報を含むレジメンマスタ情報が格納された記憶手段、前記レジメン情報に基づいてレジメンオーダが作成されるときに、前記レジメン情報が規定する投与スケジュールの期間で、他の抗癌剤との組み合わせが発生すると、前記重複情報に基づいて重複を許容するか否かを判定するオーダ処理手段として機能させることを特徴とする。
【０００９】
本発明によれば、オーダ処理手段が、レジメン情報に基づいてレジメンオーダが作成されるときに、レジメン情報が規定する投与スケジュールの期間で、他の抗癌剤との組み合わせが発生すると、重複情報に基づいて重複を許容するか否かを判定するため、レジメン同士の重複が発生したときに、医師の記憶や経験に頼ることなく、正確に判断することができる。
【００１０】
前記重複情報は、全部の他のレジメンとの重複を許容するか否か、又は選択的にレジメンとの重複を許容することを示す重複可否情報と、前記重複可否情報が選択的にレジメンとの重複を許容することを示す場合に、重複が許容されるレジメンを示す重複レジメン情報とを備えたものとすることができる。
【００１１】
重複情報が、重複可否情報と重複レジメン情報とからなり、重複可否情報が、全部の他のレジメンとの重複を許容するか否か、又は選択的にレジメンとの重複を許容することを示すものであるため、オーダ処理手段は、他のレジメンとの重複が許容される又は許容されないだけでなく、レジメンによっては許容されることまでも判断することができる。
【発明の効果】
【００１２】
本発明によれば、レジメン同士の重複が発生したときに、医師の記憶や経験に頼ることなく、正確に判断することができるため、医師がレジメンを正確に把握していなくても、投与スケジュールを立案することが可能である。
【図面の簡単な説明】
【００１３】
【図１】本発明の実施の形態に係る化学療法支援システムの構成を示す図である。
【図２】図１に示す化学療法支援システムの化学療法支援装置として機能する処理サーバの構成を説明するための図である。
【図３】レジメン一覧画面の一例を示す図である。
【図４】レジメン確認画面の一例を示す図である。
【図５】レジメンオーダ画面の一例を示す図である。
【図６】投与率の上限値を超えたときに表示される警告メッセージ画面の一例を示す図である。
【図７】投与スケジュール画面の一例を示す図である。
【図８】オーダ登録確認画面の一例を示す図である。
【図９】オーダ登録完了画面の一例を示す図である。
【図１０】コース履歴画面の一例を示す図である。
【図１１】レジメン確認画面の一例を示す図である。
【図１２】図３に示すレジメン一覧画面から「Ｗｅｅｋｌｙドセタキセル」が選択されたレジメン参照画面の一例を示す図である。
【図１３】図３に示すレジメン一覧画面から「髄注」が選択されたレジメン参照画面の一例を示す図である。
【図１４】図３に示すレジメン一覧画面から「リツキサン」が選択されたレジメン参照画面の一例を示す図である。
【図１５】記憶手段に格納されたレジメンマスタ情報に含まれる重複情報の一例を示す図である。
【図１６】重複が許容されないコース同士の重複が発生したときに表示される警告メッセージ画面の一例を示す図である。
【図１７】Ｄａｙ移動画面の一例を示す図である。
【図１８】オーダ参照画面の一例を示す図である。
【図１９】Ｄａｙ移動する際の確認画面の一例を示す図である。
【図２０】Ｄａｙ移動画面の一例を示す図である。
【図２１】オーダ参照画面の一例を示す図である。
【発明を実施するための形態】
【００１４】
本発明の実施の形態に係る化学療法支援システムを図面に基づいて説明する。
図１に示す化学療法支援システム１は、化学療法支援装置として機能する処理サーバ２と、各医師が操作する複数の端末装置３とが、病院Ｈ内の電気通信回線の一例であるＬＡＮに通信可能に接続されたものである。このＬＡＮには、図示しない電子カルテシステムや、薬局にて薬剤師が操作する端末装置（図示せず）も接続されている。
なお、処理サーバ２と、端末装置３と、電子カルテシステムと、薬剤師が操作する端末装置とは、ＷＡＮを介して接続されていてもよい。また、図１においては、中継装置であるハブやルータなどは図示していない。
【００１５】
処理サーバ２は、化学療法プログラムが動作することで、化学療法支援装置として機能するコンピュータである。処理サーバ２は、端末装置３の操作に応じて、ＨＴＴＰ（Hypertext Transfer Protocol）により画面データを端末装置３へ送信する。
端末装置３は、例えば、処理サーバ２からページデータとして送信される画面データを表示するブラウザが動作するコンピュータである。また、端末装置３は、入力手段を操作して入力された入力データを処理サーバ２へ送信する機能を備えている。
【００１６】
ここで、処理サーバ２の構成について、図２に基づいて詳細に説明する。
処理サーバ２は、通信手段２１と、オーダ処理手段２２と、スケジュール処理手段２３と、記憶手段２４とを備えている。
通信手段２１は、ＬＡＮとのデータ通信を制御する機能を備えている。
オーダ処理手段２２は、端末装置３からの要求に基づいて、記憶手段２４に格納されたレジメンマスタ情報から作成されたレジメンを、薬局にて薬剤師が操作する端末装置（図示せず）にオーダする機能を備えている。
【００１７】
スケジュール処理手段２３は、投与スケジュールの表示、変更などを処理する機能を備えている。
記憶手段２４には、化学療法プログラムや、化学療法プログラムが使用するデータなどが格納されている。また、記憶手段２４には、薬剤の種類、薬剤の投与量、投与スケジュールなどを含むレジメンを示すレジメン情報と、後述する重複情報とを含むレジメンマスタ情報が格納される。
【００１８】
以上のように構成された本発明の実施の形態に係る化学療法支援システムの動作及び使用状態を図面に基づいて説明する。
医師は、まず、新規のオーダを設定する。
新規のオーダの設定は、処理サーバ２のオーダ処理手段２２が、端末装置３に送信したレジメン一覧画面Ｐ１（図３参照）から行うことができる。このレジメン一覧画面Ｐ１は、オーダ処理手段２２が記憶手段２４から読み込んでレジメンマスタ情報に基づいて生成される。
レジメン一覧画面Ｐ１は、画面の左上に位置する、「新規オーダ・オーダ履歴」と表示された新規履歴兼用ボタンＢ１１又は「レジメン一覧」と表示された一覧表示ボタンＢ１２が押下されることで、処理サーバ２から端末装置３へ送信される。
【００１９】
このとき、レジメン一覧画面Ｐ１の上部には、電子カルテシステムから読み込んだ、患者の体格情報（身長、体重）が表示され、この体格情報に基づいた体表面積、標準体重が表示されている。本実施の形態では、図３に示すように、体表面積をＤｕ  Ｂｏｉｓ公式により算出したときに１．０００ｍ2となるように、便宜上、患者の身長を９１．４ｃｍとしている。
【００２０】
また、レジメン一覧画面Ｐ１では、左側に大分類欄Ｒ１１が表示され、右側に小分類欄Ｒ１２が表示されている。大分類欄Ｒ１１には、癌の種別の大分類である「乳がん」、「胃がん」、「結腸・直腸がん」及び「膵臓・胆道癌」が表示されている。医師が、この大分類のうち、「乳がん」を選択すると、大分類「乳がん」に属するレジメンの一覧が、小分類欄Ｒ１２に表示される。医師は、この中から、例えば、レジメン名「Ｗｅｅｋｌｙドセタキセル」を選択してハイライト表示させた後に、レジメン確認ボタンＢ１３を押下したものとする。
【００２１】
レジメン確認ボタンＢ１３の押下が、処理サーバ２へ送信されると、オーダ処理手段２２は、電子カルテシステムから患者に関する情報を記憶手段２４から読み出して、図４に示すレジメン確認画面Ｐ２を、端末装置３へ送信する。
【００２２】
レジメン確認画面Ｐ２では、体格情報選択欄Ｒ２１には、電子カルテシステムから読み込んだ最新の患者の身長、体重及び体表面積と、前回コース時の身長、体重及び体表面積と、患者の身長から算出される標準体重とが表示されている。今回のオーダの設定は、コースが初回（第１コース）であるため前回コース時の体格情報は、表示されていない。
また、レジメン確認画面Ｐ２では、レジメンコメント表示欄Ｒ２２に、「Ｗｅｅｋｌｙドセタキセル」が、２８日で１クール（コース）であり、１週間ごとの投薬を３週間続け（投薬期間）、残り１週間が休薬（休薬期間）であることが表示されている。また、レジメン確認画面Ｐ２では、レシピ表示欄Ｒ２３に、抗癌剤であるドセタキセル点滴静注を、初日（Ｄａｙ１）と、８日目（Ｄａｙ８）と、１５日日（Ｄａｙ１５）に施行することが表示されている。
【００２３】
医師は、端末装置３の入力手段を操作して、体格情報選択欄Ｒ２１に表示された、いずれかの体格情報を選択する。
また、医師は、コース回指定欄Ｒ２４にて、コース数を指定する。初回であれば、例えば、「今回のコースＮｏ．「１」〜「１」」のように、それぞれ「１」を指定することで、初回である１コース目を指定する。
医師は、体格情報の選択及びコース数の指定が完了すると、端末装置３の入力手段を操作してレジメンオーダボタンＢ２を押下する。
【００２４】
レジメンオーダボタンＢ２の押下が端末装置３から処理サーバ２へ送信されると、オーダ処理手段２２は、図５に示すレジメンオーダ画面Ｐ３を端末装置３へ送信する。
レジメンオーダ画面Ｐ３は、電子カルテシステムから読み込まれた患者の検査結果の詳細情報が上部に表示されると共に、薬剤の投与量などが設定できる画面である。
【００２５】
レジメンオーダ画面Ｐ３には、コース開始日を指定する投与開始日設定欄Ｒ３１と、レジメン確認画面Ｐ２（図４参照）と同様に、レシピ表示欄Ｒ３２が表示されている。
このレシピ表示欄Ｒ３２には、薬剤の用量に反映される用量設定部Ｓ３１と、薬剤の投与量を単位「ｍｇ」により設定する投与量設定部Ｓ３２とが表示されている。更に、レジメンオーダ画面Ｐ３には、レジメンマスタ情報に準拠した用量、投与量に設定とするレジメンマスタ準拠ボタンＢ３１が表示されている。
【００２６】
医師は、今回のコースの薬剤の用量を「パーセント」で用量設定部Ｓ３１に設定したり、又は投与量を「ｍｇ」で投与量設定部Ｓ３２に設定したりする。このとき、抗癌剤「ドセタキセル点滴静注」が用量１００％で４０ｍｇであったところ、投与量４５ｍｇに変更したものとする。
投与量４５ｍｇは、患者の体表面積での用量１００％における投与量４０ｍｇに対して約１１２．５％（投与率）となる。オーダ処理手段２２は、記憶手段２４に設定された投与率の上限値、例えば、１０５％を超えたと判断すると、図６に示すような投与率上限オーバーを示す警告メッセージ画面Ｐ３１を表示する。
このように、投与率の上限を越えるような設定をしようとしても、処理サーバ２がチェックを行って阻止するため、医師の設定ミスを防止することができる。
【００２７】
図５に示すレジメンオーダ画面Ｐ３での設定が終了すると、医師は、投与スケジュールボタンＢ３２を押下する。
投与スケジュールボタンＢ３２の押下が端末装置３から処理サーバ２へ送信されると、オーダ処理手段２２は、図７に示す投与スケジュール画面Ｐ４を端末装置３へ送信する。
投与スケジュール画面Ｐ４には、レシピ詳細欄Ｒ４１に、抗癌剤の他に、選択されたレジメンにて、点滴（注射）により投与される薬剤や、経口摂取により投与される薬剤が、施行日に対応して表示されている。また、投与される施行時間が施行日ごとに表示されている。
医師は、各レシピ（ＲｐＮｏ．００１〜ＲｐＮｏ．００３）の内容を確認して、問題がなければオーダ登録ボタンＢ４１を押下する。
【００２８】
オーダ登録ボタンＢ４１の押下が端末装置３から処理サーバ２へ送信されると、オーダ処理手段２２は、医師に最終的な確認を取るためのオーダ登録確認画面Ｐ５（図８参照）を端末装置３へ送信する。
オーダ登録確認画面Ｐ５には、登録を許可するＯＫボタンＢ５１と、元の図７に示す投与スケジュール画面Ｐ４へ戻るキャンセルボタンＢ５２とが表示されている。
ここで、ＯＫボタンＢ５１が押下されることで、オーダ処理手段２２は、オーダ登録された内容を、登録レジメン情報として、記憶手段２４に格納すると共に、オーダ登録完了画面Ｐ６（図９参照）を端末装置３へ送信する。オーダ登録完了画面Ｐ６では、レジメン名「Ｗｅｅｋｌｙドセタキセル」による第１コースがオーダされたことを示している。
また、オーダ処理手段２２は、レジメン名「Ｗｅｅｋｌｙドセタキセル」による第１コースがオーダされた登録レジメン情報を、レジメンオーダとして、薬剤部に所在する薬剤師が操作する端末装置（図示せず）へ送信する。
【００２９】
次のコースを設定するときには、左上に位置する「新規オーダ・オーダ履歴」と表示された新規履歴兼用ボタンＢ１１を押下する。この押下により、オーダ処理手段２２は、記憶手段２４に設定されたコース情報を読み出して、図１０に示すコース履歴画面Ｐ７を端末装置３へ送信する。
【００３０】
コース履歴画面Ｐ７では、レジメン名「Ｗｅｅｋｌｙドセタキセル」による第１コースが、コース期間「２０１６年６月１３日」から「２０１６年７月１０日」に設定されていることが表示されている。
例えば、このレジメンの第２コースを設定するときには、医師は複写ボタンＢ７１を押下する。この押下により、オーダ処理手段２２は、第１コースを複写したコース情報が、図４に示すレジメン確認画面Ｐ２と同様にレジメン確認画面Ｐ８（図１１参照）を端末装置３へ送信する。
【００３１】
レジメン確認画面Ｐ８では、前コース（第１コース）が設定されているため、コース回指定欄Ｒ８１には、「２」が当初から指定されている。
第１コースと同じ内容のレジメンを第２コースも登録するときには、レジメンオーダボタンＢ８を押下する。以降、レジメンオーダ画面Ｐ３（図５参照）、投与スケジュール画面Ｐ４（図７参照）、オーダ登録確認画面Ｐ５（図８参照）及びオーダ登録完了画面Ｐ６（図９参照）に従って、第１コースに引き続いて第２コースも設定することができる。
【００３２】
図１０に示すコース履歴画面Ｐ７にて、第２コースを新規のレジメンにてオーダしたい場合には、新規オーダボタンＢ７２を押下する。
新規オーダボタンＢ７２が押下されると、オーダ処理手段２２は、図３に示すレジメン一覧画面Ｐ１を端末装置３へ送信することで、第１コースとは異なるレジメンよるオーダを新規に作成することができる。
【００３３】
ここで、レジメン情報により規定されたコース同士の重複について説明する。
処理サーバ２の記憶手段２４に格納されたレジメンマスタ情報には、レジメンのコース同士が重複したときに、重複を許容するか否かの設定が含まれている。これは、患者に投与される薬剤である抗癌剤同士の組み合わせにより決定される。
レジメンマスタ情報の内容は、図３に示すレジメン一覧画面Ｐ１から参照することができる。例えば、図３に示すレジメン一覧画面Ｐ１が表示された端末装置３にて、入力手段を操作してレジメンを選択後、レジメン参照ボタンＢ１４を押下することで、図１２に示すレジメン参照画面Ｐ９が処理サーバ２から端末装置３へ送信される。
【００３４】
レジメン参照画面Ｐ９は、レジメン名「Ｗｅｅｋｌｙドセタキセル」を選択したときの画面であり、レジメンマスタ情報にて規定される投与の情報を示している。そして、レジメン参照画面Ｐ９における重複設定表示部Ｈ９１の「レジメン重複」を参照すると、「重複不可」と表示されている。従って、「Ｗｅｅｋｌｙドセタキセル」は、いかなる他のレジメンのコース（投薬期間及び休薬期間）との重複も許容されてないことを示している。
【００３５】
例えば、図１３に示すレジメン参照画面Ｐ１０は、レジメン名「髄注」を、「Ｗｅｅｋｌｙドセタキセル」と同様の操作にて表示させたものである。このレジメン参照画面Ｐ１０によると、レジメン名「髄注」は、重複設定表示部Ｈ９１の「レジメン重複」を参照すると、「重複可」と表示されている。
従って、他のレジメンを登録した後に、投薬期間又は休薬期間に重なるようにレジメン名「髄注」のコース期間を設定しても、オーダ処理手段２２は登録可能とする。
【００３６】
更に、図１４に示すレジメン参照画面Ｐ１１は、レジメン名「リツキサン」を、「Ｗｅｅｋｌｙドセタキセル」と同様の操作にて表示させたものである。このレジメン参照画面Ｐ１１によると、レジメン名「リツキサン」は、重複設定表示部Ｈ９１の「レジメン重複」を参照すると、「重複可（限定）」と表示されている。
「重複可（限定）」は、投薬期間及び休薬期間に重なるレジメンが限定されていることを示している。
重複が許容されるレジメンは、端末装置３の入力手段を操作して、重複設定表示部Ｈ９１にオンマウスすることで、重複可能なレジメンのリストである重複可能レジメン表示部Ｈ９２が表示される。
医師は、重複可能レジメン表示部Ｈ９２が表示されることにより、重複が許容されるレジメンを事前に知ることができる。
【００３７】
これは、記憶手段２４に格納されたレジメンマスタ情報に含まれる重複情報によるものである。例えば、図１５に示すように、重複情報は、レジメンに、重複可否情報と、重複レジメン情報とが関連付けられている。
重複可否情報は、レジメン情報にて用いられる抗癌剤とは異なる他の抗癌剤との組み合わせを許容するか否かを示す情報である。本実施の形態の重複可否情報は、他の全てのレジメンと重複することを許容する「重複可」と、重複が許容されない「重複不可」と、限られたレジメンであれば重複が許容される「限定」との３種類としている。
そして、重複可否情報が「限定」であれば、重複レジメン情報として、重複を許容するレジメンが格納される。
【００３８】
オーダ処理手段２２は、この重複情報を参照することで、図１２から図１４に示すように、重複設定表示部Ｈ９１および重複可能レジメン表示部Ｈ９２に、重複可、重複不可、重複が許容されたレジメンを表示することができる。
【００３９】
例えば、図５に示すレジメン確認画面Ｐ３の投与開始日設定欄Ｒ３１にて、他のレジメンと重複する期間を設定したときに、オーダ処理手段２２は、重複情報を参照する。
そして、オーダ処理手段２２は、「重複不可」又は「限定」で、かつ重複レジメン情報に、重複設定されようとしているレジメンが含まれていないことを条件に、期間が重複する旨の警告メッセージ画面Ｐ１２（図１６参照）を端末装置３へ送信する。
そうすることで、端末装置３を操作する医師は、警告メッセージ画面Ｐ１２により、レジメンの重複が発生したこと、レジメンの重複が許容されていないことを認識することができるため、レジメン同士の重複が発生したときに、医師の記憶や経験に頼ることなく、正確に判断することができる。従って、レジメンを正確に把握していなくても、投与スケジュールを立案することが可能である。
【００４０】
本実施の形態では、重複可否情報が、コース（投薬期間及び休薬期間）の重複を許容するか否か、又は重複を許容するレジメンを限定するかの３種類を識別するための情報（図１５参照）であるが、投薬期間の重複の可否、休薬期間の重複の可否、重複を許容する場合に限定されるか否かなど、６つの状態を設定できるようにしてもよい。
【００４１】
つまり、投薬期間の重複の可否であれば、全てのレジメンで投薬期間の重複可と、全てのレジメンで投薬期間の重複不可との２種類である。
また、休薬期間の重複の可否であれば、全てのレジメンで休薬期間の重複可と、全てのレジメンで休薬期間の重複不可との２種類である。
更に、重複を許容する場合に限定される場合には、投薬期間の重複を可とするレジメンがあること、休薬期間の重複を可とするレジメンがあることを示す２種類である。
このような重複可否情報とすることで、６つの状態を表すことができ、細かな設定を行うことができる。
【００４２】
次に、登録されたレジメンは、図７に示す投与スケジュール画面Ｐ４からカレンダー形式に表示して、薬剤を投与する施行日を変更することができる。
投与スケジュール画面Ｐ４にて「Ｄａｙ移動」と表示された変更用ボタンＢ４２を押下する。変更用ボタンＢ４２が押下されると、処理サーバ２のスケジュール処理手段２３が、登録された登録レジメン情報を記憶手段２４から読み込み、コースの内容をカレンダー形式に表示したＤａｙ移動画面Ｐ１３（図１７参照）を端末装置３へ送信する。
【００４３】
端末装置３に表示手段に表示されたカレンダー画面であるＤａｙ移動画面Ｐ１３は、レジメンとして「Ｗｅｅｋｌｙドセタキセル」の第１コースと第２コースとが登録されたものである。
このＤａｙ移動画面Ｐ１３では、第１コースおよび第２コースの開始を示す旗を模したアイコンＣ１が表示されている。この旗を模したアイコンＣ１には、コースの番号を示す数字が表示されている。
また、Ｄａｙ移動画面Ｐ１３では、１日目（Ｄａｙ１）と８日目（Ｄａｙ８）と１５日目（Ｄａｙ１５）に点滴を示す点滴バッグを模したアイコンＣ２が表示されている。このアイコンＣ２には、施行日を示す数字が表示されている。
更に、第１コースの終了を示すチェッカーフラッグを模したアイコンＣ３が表示されている。なお、図１７においては第２コースの終了は８月であるためアイコンＣ３は表示されていない。
【００４４】
このときのオーダ参照画面Ｐ１４（図１８参照）を参照すると、施行日表示欄Ｒ１４１の施行日の１日目、８日目および１５日目に、患者が外来より注射（点滴）による治療を受けることが表示されている。
しかし、患者の都合によりに、治療を受ける日に通院できないことがある。例えば、患者が８日目に通院できないが、９日目であれば通院ができるというときには、医師は、図１７に示すＤａｙ移動画面Ｐ１３の８日目に表示されたアイコンＣ２をドラッグして、９日目（Ｄａｙ９）にドロップする。
【００４５】
医師によるこの操作により、端末装置３から処理サーバ２へ、施行日移動が要求される。処理サーバ２では、スケジュール処理手段２３が、図１９に示す確認画面Ｐ１５を端末装置３へ送信する。
確認画面Ｐ１５では、日にちの移動として、注射（点滴）のみの移動か、または注射と処方（内服薬）の両方の移動かを選択するボタンＢ１５１，Ｂ１５２（ラジオボタン）と、移動対象日以降の予定をシフトするか否かを選択するボタンＢ１５３，Ｂ１５４（ラジオボタン）とが表示されている。
「Ｗｅｅｋｌｙドセタキセル」は点滴のみであるため、医師は、注射（点滴）のみの移動を、ボタンＢ１５１を押下して指定する。また、医師は、移動対象日以降の予定をシフトしないため、ボタンＢ１５４を押下して指定する。そして、「移動する」と表示された移動ボタンＢ１５５を押下する。
【００４６】
移動ボタンＢ１５５の押下が、端末装置３から処理サーバ２へ通知されると、スケジュール処理手段２３が、移動前の施行日（８日目（Ｄａｙ８））が移動後の施行日（９日目（Ｄａｙ９）に移動したことを記憶手段２４に格納する。そして、スケジュール処理手段２３が、８日目（Ｄａｙ８）の点滴を示すアイコンＣ２が９日目（Ｄａｙ９）へ移動すると共に、アイコンＣ２と点滴を示す形状と施行日を示す数字は同じであるが、異なる色のアイコンＣ４が８日目（Ｄａｙ８）を表示したＤａｙ移動画面Ｐ１６（図２０参照）とする。
このとき、図２１に示すオーダ参照画面Ｐ１７を参照すると、施行日表示欄Ｒ１７１に、「Ｄａｙ８（９日日）」と表示され、Ｄａｙ８に施行予定であった注射（点滴）が９日目に変わっていることが認識できる。
【００４７】
このように、Ｄａｙ移動画面Ｐ１３，Ｐ１６では、投薬の施行日を移動先の施行日に移動したいときに、ドラッグアンドドロップで簡単に移動させることができる。また、移動前の施行日に、施行日を移動したことを示すアイコンが履歴として残るため、移動前の施行日と移動後の施行日との両方を確認することができる。
また、オーダ参照画面Ｐ１４，Ｐ１７においても、移動後の施行日が、移動前の施行日の欄に表示され、移動前の施行日も履歴として残るため、移動前の施行日と移動後の施行日との両方を確認することができる。
【００４８】
従って、医師は、移動後の施行日が、いつの施行日を移動したものかが、ひと目で判別することができる。
【００４９】
図１９に示す確認画面Ｐ１５では、移動対象日以降の予定をシフトしないこととしたが、患者の容態に応じて移動対象日以降の予定をシフトしてもよい。
この場合、医師は、図１９に示す確認画面Ｐ１５にて、「以降のＤａｙ移動」について「する」と表示されたボタンＢ１５３を選択して、「移動する」と表示された移動ボタンＢ１５５を押下する。
そうすると、スケジュール処理手段２３は、移動対象の施行日が含まれるコースの投薬期間だけでなく、投薬期間後の休薬期間も一緒に、後ろへシフトされるため、次のコースも順次シフトされる。
このように、移動対象の施行日を移動したときに、移動対象の施行日が含まれるコースがシフトされると共に、次のコースも順次シフトされることにより、移動対象の施行日の施行日、次のコースの施行日、コースの終了日など、医師が手計算に頼ることなく、投与スケジュールの変更が容易にできる。
【００５０】
このとき、設定によっては、投薬期間はシフトするが、休薬期間はシフトしないようにすることもできる。そうすることで、次のコースを予定通りに施行することができる。
しかし、所定の休薬期間が必要なレジメンであれば、投薬期間はシフトするが、休薬期間はシフトしないようにすると、実質的には、移動対象の施行日が含まれるコースと、次のコースとが重複していることになる。
この場合、オーダ処理手段２２がコース同士の重複を判定するようにしてもよい。
【産業上の利用可能性】
【００５１】
本発明は、抗癌剤を用いて癌治療を行う医師が所属する医療機関に好適である。
【符号の説明】
【００５２】
１  化学療法支援システム
２  処理サーバ
２１  通信手段
２２  オーダ処理手段
２３  スケジュール処理手段
２４  記憶手段
３  端末装置
Ｈ  病院
Ｐ１  レジメン一覧画面
Ｒ１１  大分類欄
Ｒ１２  小分類欄
Ｂ１１  新規履歴兼用ボタン
Ｂ１２  一覧表示ボタン
Ｂ１３  レジメン確認ボタン
Ｂ１４  レジメン参照ボタン
Ｐ２  レジメン確認画面
Ｒ２１  体格情報選択欄
Ｒ２２  レジメンコメント表示欄
Ｒ２３レシピ表示欄
Ｒ２４  コース回指定欄
Ｂ２  レジメンオーダボタン
Ｐ３  レジメンオーダ画面
Ｒ３１  投与開始日設定欄
Ｒ３２  レシピ表示欄
Ｓ３１  用量設定部
Ｓ３２  投与量設定部
Ｂ３１  レジメンマスタ準拠ボタン
Ｂ３２  投与スケジュールボタン
Ｐ３１  警告メッセージ画面
Ｐ４  投与スケジュール画面
Ｒ４１  レシピ詳細欄
Ｂ４１  オーダ登録ボタン
Ｂ４２  変更用ボタン
Ｐ５  オーダ登録確認画面
Ｂ５１  ＯＫボタン
Ｂ５２  キャンセルボタン
Ｐ６  オーダ登録完了画面
Ｐ７  コース履歴画面
Ｂ７１  複写ボタン
Ｂ７２  新規オーダボタン
Ｐ８  レジメン確認画面
Ｒ８１  コース回指定欄
Ｂ８  レジメンオーダボタン
Ｐ９，Ｐ１０，Ｐ１１  レジメン参照画面
Ｈ９１  重複設定表示部
Ｈ９２  重複可能レジメン表示部
Ｐ１２  警告メッセージ画面
Ｐ１３  Ｄａｙ移動画面
Ｃ１〜Ｃ３  アイコン
Ｐ１４  オーダ参照画面
Ｒ１４１  施行日表示欄
Ｐ１５  確認画面
Ｂ１５１〜Ｂ１５４  ボタン
Ｂ１５５  移動ボタン
Ｐ１６  Ｄａｙ移動画面
Ｐ１７  オーダ参照画面
Ｒ１７１  施行日表示欄
【図１】
2019036065.tif 000003
【図２】
2019036065.tif 000004
【図３】
2019036065.tif 000005
【図４】
2019036065.tif 000006
【図５】
2019036065.tif 000007
【図６】
2019036065.tif 000008
【図７】
2019036065.tif 000009
【図８】
2019036065.tif 000010
【図９】
2019036065.tif 000011
【図１０】
2019036065.tif 000012
【図１１】
2019036065.tif 000013
【図１２】
2019036065.tif 000014
【図１３】
2019036065.tif 000015
【図１４】
2019036065.tif 000016
【図１５】
2019036065.tif 000017
【図１６】
2019036065.tif 000018
【図１７】
2019036065.tif 000019
【図１８】
2019036065.tif 000020
【図１９】
2019036065.tif 000021
【図２０】
2019036065.tif 000022
【図２１】
2019036065.tif 000023